(57)【特許請求の範囲】
【請求項１】
撮影機構を備え予めフイルムパトローネが装填されたユニット本体に組み込まれたファインダを覗きながら撮影が行なわれるレンズ付きフイルムユニットにおいて、
前記ファインダの接眼レンズの接眼側又は対物側のいずれか一方のレンズ面に製造者や販売企業名を表す文字やマークを設けて、接眼レンズから目を離したときにレンズ面の文字やマークが見えるようにしたことを特徴とするレンズ付きフイルムユニット。
【請求項２】
前記レンズ面に設けた文字やマークの線幅を０．７ｍｍ以下とすることを特徴とする請求項１記載のレンズ付きフイルムユニット。
【請求項３】
前記レンズ面に設けた文字やマークを光を吸収する材料で形成することを特徴とする請求項１又は２記載のレンズ付きフイルムユニット。
【発明の詳細な説明】
【０００１】
【発明の属する技術分野】
本発明は、ユニット本体の不正な再使用を防止するために工夫を施したレンズ付きフイルムユニットに関するものである。
【０００２】
【従来の技術】
レンズ付きフイルムユニットは、簡単な撮影機構を内蔵するとともに予めカートリッジフイルムを装填したユニット本体と、これを覆う外装体とで構成するものであり、廉価で使用も簡単であることから広く普及している。
【０００３】
ユニット本体は、カートリッジを収納するカートリッジ室と、カートリッジから引き出したフイルムをロール状にしたフイルムロールを収納するフイルムロール室とが一体に形成された本体基部と、この本体基部の前面に設けられ、撮影レンズ及びシャッタ機構を備えた露光ユニットと、本体基部の背面からカートリッジ室及びフイルムロール室を光密に塞ぐ後カバーと、レリーズボタンが一体に設けられ、露光ユニットを覆うように設けられる前カバーとから構成されている。巻き上げ操作によりフイルムロール室から未露光のフイルムが引き出され、その巻き上げ操作に連動してシャッターチャージが行われ、レリーズボタンを押圧すると撮影が行われる。そして、露光済みのフイルムは、巻き上げ操作によってカートリッジに巻き込み収納される。
【０００４】
レンズ付きフイルムユニットは使用後に、そのままの状態で現像所に提出される。現像所ではユニット本体から露光済みのフイルムを取り出して現像及びプリント処理を行うが、使用後のユニット本体そのものはユーザーに返却されることはなく、メーカーに回収されてユニット本体は各部品ごとに分解される。各部品のほとんどは樹脂成形品であるため、損傷が甚だしくそのまま再利用できない場合には、破砕，溶融して樹脂ペレットとして再び原材料に用いられる。また、露光ユニットについては、機能検査を行って異常がなければ、そのまま再利用が可能である。
【０００５】
これらの部品のうち本体基部及び後カバーはフイルムに直接接触する部品であるため、分解後、そのまま再利用することは避けることが望ましい。というのは、これらの部品に僅かでも損傷があると、フイルムの乳剤面あるいはベース面にスリーク傷やスクラッチ傷が入ってしまい、写真画像の品質に修復できない影響を及ぼす恐れがあった。このような理由から後カバーについては、破砕、溶融の後、原材料としての再利用だけが行われている。
【０００６】
ところが、最近、レンズ付きフイルムユニットを製造したメーカー以外の主に現像取扱業者を中心とする第三者が、撮影者から現像，プリントを依頼されたレンズ付きフイルムユニットからフイルムを取り出した後のユニット本体を勝手に流用して、新たなフイルムカートリッジを装填して販売したものが大量に市場に出回っている事情がある。
【０００７】
再利用するユニット本体各部の適性な品質検査を行わず、機能保証のないままにユニット本体を再利用すると、新たに装填したフイルムに損傷を与える等の写真品質の劣化を招く可能性や、撮影機構の劣化による動作不良で、適正な撮影を行えなくなる可能性がある。このようにして、必要な品質検査等を行わずに、フイルムカートリッジを再装填して販売することにより、一般ユーザーに対してレンズ付きフイルムユニットの信頼性を低下させる等の悪影響を生じてきている。
【０００８】
これらの対策のために、前カバーや後カバーに製造者や販売企業名を表す文字やマークを射出成形により一体に設けたり、ユニット本体の一部（例えば本体基部と後カバー）を超音波により溶着することで、分解を困難にする対策を施している。
【０００９】
【発明が解決しようとする課題】
しかしながら、射出成形によって一体に設けた文字やマークは、削り取ったり、埋めたりすることで削除でき、超音波溶着も部分的にしかできないので、詰め替えを完全に防止することはできなかった。
【００１０】
本発明は上記事情を考慮してなされたもので、製造者や販売企業名を表す文字やマークを削除すると撮影に支障をきたすようにして、ユニット本体の不正な再使用を防止できるようにしたレンズ付きフイルムユニットを提供することを目的とする。
【００１１】
【課題を解決するための手段】
本発明は上記目的を達成するために、請求項１記載の発明では、接眼レンズの接眼側又は対物側のいずれか一方のレンズ面に製造者や販売企業名を表す文字やマークを設けて、接眼レンズから目を離したときにレンズ面の文字やマークが見えるようにしたものである。請求項２記載の発明では、レンズ面に設けた文字やマークの線幅を０．７ｍｍ以下にしたものである。請求項３記載の発明では、レンズ面に設けた文字やマークを光を吸収する材料で形成したものである。
【００１２】
【発明の実施の形態】
図２において、レンズ付きフイルムユニット２は、予めフイルムカートリッジが装填され、簡単な撮影機構及びファインダが組み込まれ、主にプラスチック成形品で構成されたユニット本体３と、この中央部に帯状に巻き付けて覆うラベル４とから構成されている。ユニット本体３の上面には、レリーズボタン６，カウンタ窓７が設けられ、前面にはストロボ発光部８，撮影レンズ９，対物窓１０，ストロボ充電スイッチ１１が設けられ、背面には接眼窓１２等が設けられている。
【００１３】
図１において、ファインダは接眼レンズ１４と対物レンズ１５とで構成されている。接眼レンズ１４と対物レンズ１５は、接眼窓１２と対物窓１０の各々からユニット本体３の外部に露呈されている。撮影時に、接眼レンズ１４に目１６を近づけてファインダを覗くことで被写体の位置を定めることができる。
【００１４】
接眼レンズ１４の対物側のレンズ面１４ａには、製造者や販売企業名を表すマーク（この場合、「Ｆ」）１５が黒色の細線の印刷によって設けられている。この文字１５は、接眼レンズ１４から目１６を離した状態（例えば、接眼レンズ１４と目１６との距離が２００ｍｍ程度）だとレンズ面１４ａにピントが合うため、接眼レンズ１４を通してユニット本体３の外部から見ることができる。また、接眼レンズ１４に目を近づけた状態（例えば、接眼レンズ１４と目１６との距離が１５ｍｍ程度）だとピントがずれるため、マーク１５は見えなくなる。
【００１５】
また、マーク１５は黒色の印刷で光を吸収する性質を備えるため、日差しが強い場所でファインダを覗いてもフレアが発生しない。また、マーク１５の線幅が０．７ｍｍを越えると、ファインダを覗いた時にマーク１５は見えないが線で遮られる光が多くなり、これが黒い影となるので見にくくなる。そのため、マーク１５の線幅を０．７ｍｍ以下とする。
【００１６】
レンズ付きフイルムユニット２を使用する際、まず、巻き上げノブ１８を回動してフイルム１コマ巻き上げを行った後、接眼レンズ１４に目１６を近づけてファインダを覗きながら所望の被写体を中央に捉える。そして、レリーズボタン６を押下することにより、１回の撮影が完了する。
【００１７】
このようにして撮影を繰り返し行い、すべてのフイルムがカートリッジに収納されて撮影を終了したレンズ付きフイルムユニット２は、そのままの状態で現像所に提出される。現像所ではラベル４が破かれて底蓋１９が開けられ、フイルムを収納したカートリッジが取り出される。
【００１８】
このユニット本体３では、製造者や販売企業名を表すマーク１５を接眼レンズ１４の対物側のレンズ面１４ａに設けて、接眼レンズ１４から目１６を離した状態でマーク１５が見えるようにしているので、そのまま再使用できなかった。
【００１９】
ユニット本体３をそのまま流用し、新たなフイルムカートリッジを装填して販売するために接眼レンズ１４からマーク１５を削り取ろうとすると、レンズ面１４ａに傷がつくため見えなくなり、ファインダの機能不良を生じるので商品価値が無くなる。
【００２０】
上記したように、接眼レンズ１４を加工してユニット本体３を再使用しようとした場合、大変な手間と時間がかかるだけでなく、ファインダの機能が損なわれてしまう。したがって、ユニット本体３をそのまま流用して、新たな写真フイルムカートリッジを装填したものの販売が行われる恐れがなくなる。
【００２１】
ところで、接眼レンズ１４は、上述したユニット本体３がメーカーによって回収されて分解後、破砕，溶融されて、樹脂ペレットとして再び原材料に用いられる。
【００２２】
なお、上記したマークを接眼レンズ１４の接眼側のレンズ面に設けて、同様の効果を得てもよい。また、マークのかわりに製造者や販売企業名が一目で分かるマークを上記した線幅で設けてもよい。
【００２３】
【発明の効果】
上述したように、本発明のレンズ付きフイルムユニットによれば、接眼レンズのレンズ面に製造者や販売企業名を表す文字やマークを設けて、接眼レンズから目を離したときにレンズ面の文字やマークが見えるようにしたので、そのまま再使用できず、また文字やマークを消すために接眼レンズに加工を施すと機能が損なわれるため、ユニット本体の不正な再使用を防止することができる。
【００２４】
レンズ面に設けた文字やマークの線幅を０．７ｍｍ以下にすることで、ファインダの見やすさが損なわれるのを防止でき、また文字やマークを光を吸収する材料で形成することにより日差しが強い場所においてもフレアを防止できる。
【図面の簡単な説明】
【図１】ファインダの斜視図である。
【図２】レンズ付きフイルムユニットの外観斜視図である。
【符号の説明】
２  レンズ付きフイルムユニット
３  ユニット本体
１４  接眼レンズ
１４ａ  レンズ面
【図１】
0003724767.tif 000002
【図２】
0003724767.tif 000003